(57)【要約】【課題】ロータリ作業機の耕耘体と均平板の間を覆う側板により耕耘後に溝ができることを防止する農作業機を提供する。【解決手段】農作業機は、回転しながら耕耘作業をする耕耘体１３と、この耕耘体１３の後方で作業をする均平板９とを備え、その間を覆う後方側板２０を備える。後方側板２０は上下分割可能にすることにより、下方への長さが短くなり、底面が圃場に刺さり込んで耕耘後の側部に溝ができるのを防止するよう構成した。 【選択図】図１
2012044926.tif 000002
【特許請求の範囲】
【請求項１】
回転しながら耕耘作業をする耕耘体と、この耕耘体の後方で整地作業をする均平板と、前記耕耘体と均平板との間の側面を覆う後方側板とを備え、後方側板を上下に分割して構成したことを特徴とする農作業機。
【請求項２】
前記上下に分割した後方側板の下側側板が上側側板の下方に位置する通常作業位置と、下側側板が上側側板と側面視で重なる深耕作業位置とに固定可能としたことを特徴とする請求項１に記載の農作業機。
【請求項３】
前記上下に分割した後方側板の下側側板は上側側板に沿ってスライドして通常作業位置から深耕作業位置に段階的に変更可能としたことを特徴とする請求項１に記載の農作業機。
【発明の詳細な説明】
【技術分野】
【０００１】
本発明は、走行機体の後部に装着され、走行機体の走行に応じて進行しながら走行機体から伝達される動力によって耕耘作業を行う農作業機に関するものである。
【先行技術文献】
【特許文献】
【０００２】
【特許文献１】特開平０５−１３７４０２号公報  従来、例えばトラクタに装着して耕耘作業を行うロータリ装置において後側部カバーを設けた作業機が知られている（例えば特許文献1参照）。
【発明の概要】
【発明が解決しようとする課題】
【０００３】
しかしながら、上記従来の後側部カバーを固定して構成した場合、深耕作業を行うと、後側部カバーによって耕耘後に溝ができてしまう問題があった。
また、圃場面との擦れにより後側部カバーがすぐに磨耗してしまい部品を交換しなければならないため、コスト高になるという問題があった。
【課題を解決するための手段】
【０００４】
請求項１記載の農作業機は、回転しながら耕耘作業をする耕耘体と、この耕耘体の後方で整地作業をする均平板と、前記耕耘体と均平板との間の側面を覆う後方側板とを備え、後方側板を上下に分割したものである。
【０００５】
請求項２に記載の農作業機は、上下に分割した後方側板の下側側板が上側側板の下方に位置する通常作業状態と、下側側板が上側側板と側面視で重なる深耕作業状態とに固定可能としたものである。
請求項３に記載の農作業機は、上下に分割した側板の下側側板は上側側板に沿ってスライドして通常作業状態から深耕作業状態に段階的に変更可能としたものである。
【発明の効果】
【０００６】
請求項１に係る発明によれば後方側板を上下に分割したことにより深耕作業時に側板により耕耘後に溝ができるのを防止できる。
【０００７】
請求項２に係る発明によれば下側側板を上側側板と側面視で重なる状態に固定可能としたことにより、後方側板の底面の磨耗を防止できる。
【０００８】
請求項３に係る発明によれば上下に分割した側板の下側側板は上側側板に沿ってスライドして通常作業状態から深耕作業状態に段階的に変更可能としたことにより底面の位置を調節可能とした。
【図面の簡単な説明】
【０００９】
【図１】本発明の一実施の形態に係る農作業機の一方の側面図である。
【図２】同上農作業機の他方の側面図である。
【図３】本発明の後方側板を表す通常作業位置の側面図と背面図である。
【図４】同上後方側板を表す深耕作業位置の側面図と背面図である。
【図５】本発明の第2の実施例を表す後方側板の通常作業位置の側面図と背面図である。
【図６】本発明の第3の実施例を表す後方側板の通常作業位置の側面図と背面図である。
【図７】本発明の第4の実施例を表す後方側板の通常作業位置の側面図と背面図である。
【発明を実施するための形態】
【００１０】
本発明の農作業機の一実施の形態を図面を参照して説明する。
【００１１】
図1ないし図４において、1は作業機本体で、この作業機本体1は、走行車であるトラクタ（図示せず）に連結された状態でトラクタの走行により圃場を耕耘する農作業機である。
【００１２】
作業機本体１は、トラクタ後部の３点リンク部（作業機昇降装置）に連結される機体３を備えている。
【００１３】
機体３は、一端部である左端部にチェーンケース部７を有し、他端部である右端部にブラケット部３０を有し、これら左右のチェーンケース部７およびブラケット部３０間には入力軸５側からの動力で左右方向の耕耘軸１５を中心として所定方向に回転しながら耕耘作業をするロータリ式の耕耘体１３が回転可能に配設されている。
【００１４】
耕耘体１３は、左端部がチェーンケース部７にて回転可能に支持されかつ右端部がブラケット部３０にて回転可能に支持された左右方向長手状の回転軸である耕耘軸１５と、この耕耘軸１５のうちこの耕耘軸１５の軸方向に所定間隔をおいた複数のフランジ１６に放射状に突設された複数の耕耘爪１７とを有している。
耕耘軸１５は、チェーンケース部７内のチェーン、フレームパイプ部４内の伝動シャフトおよびミッションケース部６内のギア等にて構成された動力伝達手段（図示せず）を介して入力軸５に接続されている。入力軸５は、図示しないトラクタのＰＴＯ軸にジョイント等からなる動力伝達手段（図示せず）を介して接続される。
【００１５】
また、機体３は、耕耘体１３の上方を覆う耕耘部カバー部であるカバー部８を有している。そして、カバー部８の後端部には、耕耘体１３の後方で圃場面に追従するように機体３に対して左右方向の回動中心線を中心として上下方向に回動しながら整地作業をする略板状の整地体である均平板９が上下方向に回動可能に設けられている。なお、均平板９は、図１に示されるように、通常作業深さＡはチェーンケース部７の下面付近であり、深耕作業深さＢは耕耘軸１５の下部付近となる。
【００１６】
均平板９は、耕耘体１３と略同じ作業幅をもつ左右方向長手状のもので、平面視で略矩形板状をなす形状に形成されている。
【００１７】
また、作業機本体１は図１ないし図４に示されるように、耕耘体１３と均平板９との間の空間部の側面を覆う左右一対の後方側板２０を備えている。つまり、作業機本体１は、機体３のカバー部８にボルト等の取付部材２３で取り付けられ、互いに離間対向して位置し耕耘体１３の後側の外側方部を覆う鉛直面状の後方側板２０を備えている。
これら左右の後方側板２０のうちの一方の後方側板２０は耕耘体支持部であるチェーンケース部７の後方に近接して配設され、他方の後方側板２０は、耕耘体支持部であるブラケット部３０の後方に近接して配設されている。そして、各後方側板２０は上下に２分割して構成され、上側側板２１と下側側板２２にて後方側板２０を構成している。
【００１８】
なお、後方側板２０は図１ないし図４に示すように、上側側板２１にカラー２４が固着され、下側側板２２には取付板２５が固着され、止めピン２６にて回動を規制されている。
【００１９】
つまり、前記構成により、図３および図４に示すように通常作業位置で作業をする場合は後方側板の姿勢を、上側側板２１の下方に下側側板２２が位置するように止めピン２６にて固定する。そして深耕作業位置で作業をする場合は止めピン２６を抜いて下側側板２２をピン２７を回動支点として上方に回動させる。
【００２０】
そして、下側側板２２を上方に回動すると、下側側板２２と上側側板２１が側面視で重なる状態になり、止めピン２６で固定する。
次に、農作業機１の作用等を説明する。
【００２１】
水田等の圃場においてトラクタの前進走行により作業機本体１を進行方向前方に移動させると、耕耘体１３にて耕耘作業が行われ、この耕耘体１３の後方で、均平板９にて整地作業が行われる。
【００２２】
ここで、例えば作業機本体１を通常の作業位置の深さより深く耕耘する場合、後方側板２０の底面２８が圃場に刺さり込み、耕耘後に溝ができてしまう恐れがある。
【００２３】
そこで、後方側板２０の止めピン２６を抜いて下側側板２２を上側側板２１と側面視で重なる状態にする。これにより後方側板２０の下方への長さが短くなるため、後方側板の底面が圃場に刺さり込むことがなくなり、耕耘後に溝ができることを防止できる。
【００２４】
そして、図５に示す第2の実施例のように上側側板２１にコ字状の金具４２を固着し、下側側板３２に角パイプ４１を固着した構成においては、リンチピン４０を抜き、下側側板３２を一度取り外し、下側側板３２と上側側板２１が側面で視重なる状態にした後、リンチピン４０で固定することで、実施例１と同様の効果が得ることができる。
【００２５】
また、図６に示す第3の実施例のように下側側板５４に長孔５１を形成し、上側側板５３の側面に沿ってスライドするように上下方向に下側側板５４を移動し、蝶ボルト５０等で締付固定することによって、無段階に側板の底面２８の位置を調節することも可能である。
【００２６】
なお、図７に示す第4の実施例においては、上側側板５９にコ字状の金具５７を固着し、下側側板５８に角パイプ５５を固着し、角パイプ５５には複数の調節用孔５６を形成し、リンチピン４０にて任意の孔に差し込むことにより、下側側板５８の上下方向の調節を任意の段階（例えば８段階）に調節することで、側板の底面２８の位置を変更することが可能である。
【００２７】
さらに、図４ないし図７に示す構成には限定されず、上側側板と下側側板が中間位置で分割される構成であれば２分割に限らず３分割としても同様の効果が得られる。  
【符号の説明】
【００２８】
１    作業機本体
３    機体
９    整地体である均平板
１３  耕耘体
２０  後方側板
２１、５３、５９        上側側板
２２、３２、５４、５８  下側側板
２６  止めピン
４０  リンチピン
【図１】
2012044926.tif 000003
【図２】
2012044926.tif 000004
【図３】
2012044926.tif 000005
【図４】
2012044926.tif 000006
【図５】
2012044926.tif 000007
【図６】
2012044926.tif 000008
【図７】
2012044926.tif 000009